(57)【要約】イメージを表示するデバイス及び方法、そして、チャットデータを管理するサーバが提供される。イメージを表示するデバイスは、ネットワークを通じて外部デバイスのテキストを受信するデータ通信部、受信されたテキストをチャット領域に表示するテキスト表示部、ユーザーインターフェイスを通じて選択されたイメージのイメージデータを検索するイメージ検索部、チャット領域内で前記ユーザーインターフェイスを通じて選択された領域の位置情報を検出する位置検出部、及び、検索されたイメージデータを検出された位置情報に対応する領域に表示するイメージ表示部を含む。
2016502174.tif 000002
【特許請求の範囲】
【請求項１】
テキストが表示されるチャット領域にイメージを表示するデバイスにおいて、
ネットワークを通じて外部デバイスのテキストを受信するデータ通信部；
前記受信されたテキストを前記チャット領域に表示するテキスト表示部；
ユーザーインターフェイスを通じて選択されたイメージのイメージデータを検索するイメージ検索部；
前記チャット領域内で前記ユーザーインターフェイスを通じて選択された領域の位置情報を検出する位置検出部；及び
前記検索されたイメージデータを前記検出された位置情報に対応する領域に表示するイメージ表示部を含み、
前記表示されたテキストが前記チャット領域内で位置移動する場合、前記表示されたイメージデータも前記チャット領域内で位置移動されるデバイス。
【請求項２】
前記イメージデータが表示された領域は、前記テキストが表示された領域の全部または一部にオーバーラップされる請求項１に記載のデバイス。
【請求項３】
前記ユーザーインターフェイスを通じて前記イメージデータが表示された領域に対する選択の入力を受ける場合、前記表示されたイメージデータを非表示させるイメージ削除部をさらに含む請求項１に記載のデバイス。
【請求項４】
前記イメージ削除部が前記表示されたイメージデータを非表示させる場合、前記データ通信部が前記イメージデータの非表示の趣旨を知らせる信号を前記外部デバイスに送信する 請求項１に記載のデバイス。
【請求項５】
前記テキスト表示部は、前記ユーザーインターフェイスを通じて選択された領域が前記表示されたテキストから所定距離以内の領域である場合、前記表示されたテキストに強調効果を現す請求項１に記載のデバイス。
【請求項６】
前記位置検出部は、前記ユーザーインターフェイスを通じて前記表示されたイメージデータに対する移動命令の入力を受ける場合、前記入力された移動命令に基づいて前記表示されたイメージデータが移動される目的地領域の位置情報を検出し、
前記イメージ表示部は、前記検出された目的地領域の位置情報に対応する領域に前記表示されたイメージデータを移動させて表示させる請求項１に記載のデバイス。
【請求項７】
前記ユーザーインターフェイスからイメージ非表示命令の入力を受ける場合、前記チャット領域に既表示された少なくとも一つ以上のイメージデータを非表示させるイメージ削除部をさらに含む請求項１に記載のデバイス。
【請求項８】
前記チャット領域は、区切りラインにより少なくとも二つ以上のセル領域に区切られ、前記選択された領域は、前記区切りラインにより区切られた少なくとも二つ以上のセル領域のうち、前記ユーザーインターフェイスを通じて選択されたいずれかのセル領域である請求項１に記載のデバイス。
【請求項９】
前記ユーザーインターフェイスは、イメージが使用された時間に応じて順次整列された複数のイメージリストをユーザーに提供する請求項１に記載のデバイス。
【請求項１０】
前記ユーザーインターフェイスは、前記イメージデータを修正するための道具を提供する請求項１に記載のデバイス。
【請求項１１】
前記イメージ表示部は、前記データ通信部が前記外部デバイスの外部イメージデータ及び外部位置情報を受信する場合、前記チャット領域のうち前記外部位置情報に対応する領域に前記外部イメージデータを表示する請求項１に記載のデバイス。
【請求項１２】
前記イメージ表示部は、前記データ通信部が前記外部イメージデータを受信する場合、前記外部イメージデータを受信したことを知らせるお知らせメッセージを前記デバイスのディスプレイに表示する請求項１１に記載のデバイス。
【請求項１３】
前記イメージデータに関する少なくとも一つ以上の決済プロセスを行う決済処理部をさらに含む請求項１に記載のデバイス。
【請求項１４】
テキストが表示されるチャット領域にイメージを表示する方法において、
ネットワークを通じて外部デバイスのテキストを受信するステップ；
前記受信されたテキストを前記チャット領域に表示するステップ；
ユーザーインターフェイスを通じて選択されたイメージのイメージデータを検索するステップ；
前記チャット領域内で前記ユーザーインターフェイスを通じて選択された領域の位置情報を検出するステップ；
前記検索されたイメージデータを前記検出された位置情報に対応する領域に表示するステップ；及び
前記表示されたテキストが前記チャット領域内で位置移動する場合、前記表示されたイメージデータも前記チャット領域内で位置移動させるステップを含むイメージ表示方法。
【請求項１５】
前記ユーザーインターフェイスを通じて前記イメージデータが表示された領域に対する選択の入力を受ける場合、前記表示されたイメージデータを非表示させるステップ；
外部イメージデータが受信されたことを知らせるお知らせメッセージを前記デバイスのディスプレイに表示するステップ；及び
前記イメージデータに関する少なくとも一つ以上の決済プロセスを行うステップをさらに含む請求項１４に記載のイメージ表示方法。
【請求項１６】
チャットデータを管理するサーバにおいて、
ネットワークを通じて連結された複数のデバイスのうち第１デバイスからテキストを受信し、受信されたテキストを第２デバイスに転送するテキスト管理部；
前記第１デバイスからイメージデータに関する情報を受信し、受信されたイメージデータに関する情報を前記第２デバイスに転送するイメージデータ管理部；及び
前記第１デバイスから前記イメージデータに連関した位置情報を受信し、受信された位置情報を前記第２デバイスに転送する位置情報管理部を含み、
前記イメージデータは、前記第２デバイスのチャット領域のうち前記位置情報に対応する領域に表示されるチャットデータ管理サーバ。
【発明の詳細な説明】
【技術分野】
【０００１】
テキストが表示されるチャット領域にイメージを表示するデバイス及び方法、そしてチャットデータを管理するサーバに関する。
【背景技術】
【０００２】
ＩＭＳ（Ｉｎｓｔａｎｔ  Ｍｅｓｓａｇｅ  Ｓｅｒｖｉｃｅ）は、電子メールプログラムやウェブブラウザを別途に用いずに、送信者が送ったメッセージが受信者のデバイスの画面に即時に表されるようにするリアルタイムオンラインコミュニケーションサービスを意味する。特に、モバイルネットワークを利用してチャット、音声及びビデオ通話などを提供するサービスをＭＩＭ（Ｍｏｂｉｌｅ  Ｉｎｓｔａｎｔ  Ｍｅｓｓｅｎｇｅｒ）サービスという。
【０００３】
エモティコンは、感情を意味するエモーション（ｅｍｏｔｉｏｎ）とアイコン（ｉｃｏｎ）の合成語であって、サイバー空間でユーザーの感情や意思を伝達するときに使う特有の絵文字を意味する。このようなエモティコンは、笑う姿を形象化したイメージ形態から始まり、インターネットチャットや電子メールのやり取りの際に、相手の感情を表す顔の表情、心、職業、人物、動物に至るまでその種類と形態が多様になった。
【０００４】
最近、ＩＭＳまたはＭＩＭにおいても、エモティコンを通じてチャットユーザーの感情を表現するエモティコンサービスがユーザーに提供されているが、現在提供されているエモティコンサービスは、ユーザーからエモティコンに対する選択を受信すれば、予めデフォルトで決定された領域にエモティコンを表示する単純な形態を乗り切っていない。
【発明の概要】
【発明が解決しようとする課題】
【０００５】
テキストが表示されるチャット領域内でイメージを表示するにあたって、ユーザーが所望する任意の領域にイメージが表示できるようにするイメージ表示デバイス及び方法を提供しようとしている。チャット領域に表示されたイメージに対する削除及び位置移動のような制御権限をチャットに参加するユーザーに付与することで、サービス参加及び利用を誘導することのできるイメージ表示デバイス及び方法を提供しようとしている。但し、本実施例が達成しようとする技術的課題は、上記のような技術的課題に限らず、また他の技術的課題が存在し得る。
【課題を解決するための手段】
【０００６】
上述した技術的課題を達成するための技術的手段として、本発明の一実施例は、ネットワークを通じて外部デバイスのテキストを受信するデータ通信部、前記受信されたテキストを前記チャット領域に表示するテキスト表示部、ユーザーインターフェイスを通じて選択されたイメージのイメージデータを検索するイメージ検索部、前記チャット領域内で前記ユーザーインターフェイスを通じて選択された領域の位置情報を検出する位置検出部、及び、前記検索されたイメージデータを前記検出された位置情報に対応する領域に表示するイメージ表示部を含み、前記表示されたテキストが前記チャット領域内で位置移動する場合、前記表示されたイメージデータも前記チャット領域内で位置移動するデバイスを提供することができる。
【０００７】
本発明の他の実施例は、ネットワークを通じて外部デバイスのテキストを受信するデータ通信部、前記受信されたテキストを前記チャット領域に表示するテキスト表示部、ユー
ザーインターフェイスを通じて選択されたイメージのイメージデータを検索するイメージ検索部、前記チャット領域内で前記ユーザーインターフェイスを通じて選択された領域の位置情報を検出する位置検出部、前記検索されたイメージデータを前記検出された位置情報に対応する領域に表示するイメージ表示部、及び、ユーザーインターフェイスを通じてイメージデータが表示された領域に対する選択の入力を受ける場合、表示されたイメージデータを非表示させるイメージ削除部を含み、前記表示されたテキストが前記チャット領域内で位置移動する場合、前記表示されたイメージデータも前記チャット領域内で位置移動するデバイスを提供することができる。
【０００８】
本発明のまた他の実施例は、ネットワークを通じて外部デバイスのテキストを受信するステップ、前記受信されたテキストを前記チャット領域に表示するステップ、ユーザーインターフェイスを通じて選択されたイメージのイメージデータを検索するステップ、前記チャット領域内で前記ユーザーインターフェイスを通じて選択された領域の位置情報を検出するステップ、前記検索されたイメージデータを前記検出された位置情報に対応する領域に表示するステップ、及び、前記表示されたテキストが前記チャット領域内で位置移動する場合、前記表示されたイメージデータも前記チャット領域内で位置移動させるステップを含むイメージ表示方法を提供することができる。
【０００９】
本発明のまた他の実施例は、ネットワークを通じて外部デバイスのテキスト、イメージデータ及び位置情報を受信するデータ通信部、前記受信されたテキストを前記チャット領域に表示するテキスト表示部、及び、前記受信されたイメージデータを前記受信された位置情報に対応する領域に表示するイメージ表示部を含み、前記表示されたテキストが前記チャット領域内で位置移動する場合、前記表示されたイメージデータも前記チャット領域内で位置移動するデバイスを提供することができる。
【００１０】
本発明のまた他の実施例は、ネットワークを通じて連結された複数のデバイスのうち第１デバイスからテキストを受信し、受信されたテキストを第２デバイスに転送するテキスト管理部、前記第１デバイスからイメージデータに関する情報を受信し、受信されたイメージデータに関する情報を前記第２デバイスに転送するイメージデータ管理部、及び、前記第１デバイスから前記イメージデータに連関した位置情報を受信し、受信された位置情報を前記第２デバイスに転送する位置情報管理部を含み、前記イメージデータは、前記第２デバイスのチャット領域のうち前記位置情報に対応する領域に表示されるチャットデータ管理サーバを提供することができる。
【発明の効果】
【００１１】
ユーザーがインターフェイスを通じて選択された任意の領域の位置情報を検出し、検出された位置情報に対応する領域にイメージデータを表示することで、ユーザーが所望する領域にイメージが表示できるようにするステッカー類型のイメージを表示するデバイス及び方法を提供することができる。チャット領域に表示されたイメージに対する削除及び位置移動のような制御権限をチャットに参加するユーザーに付与することで、サービス参加及び利用を誘導することのできるイメージ表示デバイス及び方法を提供することができる。
【図面の簡単な説明】
【００１２】
【図１】本発明の一実施例に係るチャットサービス提供システムの構成図である。
【図２】本発明の一実施例に係るデバイス（２０）の構成図である。
【図３】図２のデバイス（２０）の動作の一例を説明するための図面である。
【図４】図２のイメージ表示部（２０５）によりお知らせメッセージが表示される一例を示す図面である。
【図５】本発明の他の実施例に係るデバイス（５０）の構成図である。
【図６】図５のデバイス（５０）の動作の一例を説明するための図面である。
【図７】本発明のまた他の実施例に係るデバイス（７０）の構成図である。
【図８】図１のチャットデータ管理サーバ（１０）の構成図である。
【図９】図１のチャットデータ管理サーバ（１０）の動作の一例を説明するための図面である。
【図１０】本発明の一実施例に係るイメージ表示方法の動作フローチャートである。
【図１１】本発明の他の実施例に係るイメージ表示方法の動作フローチャートである。
【図１２】本発明の一実施例に係るチャットデータ管理方法の動作フローチャートである。
【発明を実施するための形態】
【００１３】
以下では、添付した図面を参照して、本発明が属する技術分野で通常の知識を持った者が容易に実施することができるように本発明の実施例を詳しく説明する。しかし、本発明は、様々な異なった形態で具現でき、ここで説明する実施例に限らない。そして、図面で本発明を明確に説明するために、説明と関係ない部分は省略し、明細書全体を通じて類似した部分については、類似した図面符号を付けた。
【００１４】
明細書の全体において、ある部分が他の部分と『連結』されているとすると、これは、『直接的に連結』されている場合だけでなく、その中間に他の素子を挟んで『電気的に連結』されている場合も含む。また、ある部分がある構成要素を『含む』とすると、これは、特に反対する記載がない限り、他の構成要素を除外するのではなく、他の構成要素をさらに含むことができることを意味する。
【００１５】
図１は、本発明の一実施例に係るチャットサービス提供システムの構成図である。図１を参照すると、チャットサービス提供システムは、チャットデータ管理サーバ（１０）及びデバイス（２１〜２３）を含む。但し、このような図１のチャットサービス提供システムは、本発明の一実施例に過ぎないので、図１により本発明が限定解釈されるのではない。即ち、本発明の様々な実施例によれば、チャットサービス提供システムは、図１とは異なって構成されることもできる。例えば、本発明の一実施例に係るチャットサービス提供システムは、デバイス（２１〜２３）に対する決済プロセスを進行する決済サーバ（未図示）をさらに含むこともできる。
【００１６】
図１のチャットデータ提供システムの各構成要素は、一般的にネットワーク（ｎｅｔｗｏｒｋ）を通じて連結される。ネットワークは、端末及びサーバのようなそれぞれのノード相互間に情報交換が可能な連結構造を意味するもので、このようなネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（Ｂｌｕｅｔｏｏｔｈ：登録商標）ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限らない。
【００１７】
図１を参照すると、チャットデータ管理サーバ（１０）とデバイス（２１〜２３）とを連結する第１ネットワークと、デバイス（２２）とデバイス（２３）とを連結する第２ネットワークとは、ネットワークの類型が異なり得る。例えば、第１ネットワークは、広帯域ネットワークであって、第２ネットワークは近距離ネットワークであってもよい。この
とき、広帯域ネットワークの一例はＬＴＥネットワークであり、近距離ネットワークの一例はＷｉｒｅｌｅｓｓ  ＬＡＮである。
【００１８】
本発明の一実施例によれば、チャットデータ管理サーバ（１０）は、複数のデバイス（２１〜２３）のいずれかからチャットデータを受信し、複数のデバイス（２１〜２３）の他のいずれかに受信されたチャットデータを転送する。このとき、チャットデータ管理サーバ（１０）は、第１ネットワークを通じてチャットデータを受信し、受信されたチャットデータを転送することができる。チャットデータは、テキスト、イメージデータ及びイメージデータに連関した位置情報のうち少なくとも一つ以上を含む。
【００１９】
本発明の他の実施例によれば、チャットデータ管理サーバ（１０）は、複数のデバイス（２１〜２３）からチャットデータに関する情報（例えば、選択情報または識別情報）を受信し、受信された情報に対応するチャットデータを複数のデバイス（２１〜２３）に転送することができる。例えば、チャットデータ管理サーバ（１０）は、デバイス（２１）からＡイメージデータに関する識別情報を受信し、受信された識別情報に基づいてデバイス（２１）にＡイメージデータを転送することができる。
【００２０】
本発明の他の実施例によれば、チャットデータ管理サーバ（１０）は、複数のデバイス（２１〜２３）からチャットデータに関する情報（例えば、選択情報または識別情報）を受信し、複数のデバイス（２１〜２３）のうち他のいずれかに受信された情報を転送する。その後、チャットデータ管理サーバ（１０）は、複数のデバイス（２１〜２３）のうち他のいずれかがチャットデータに関する情報を通じてチャットデータを要求する場合に、複数のデバイス（２１〜２３）のうち他のいずれかにチャットデータを転送することができる。例えば、チャットデータ管理サーバ（１０）は、デバイス（２１）からＡイメージデータに関する識別情報を受信し、受信された識別情報をデバイス（２２）に伝達した後、デバイス（２２）からＡイメージデータに関する識別情報を通じてＡイメージデータを要求する場合に、デバイス（２２）にＡイメージデータを転送することができる。このように、チャットデータ管理サーバ（１０）は、デバイス（２１〜２３）間にチャットデータに関する情報（例えば、選択情報または識別情報）を中継し、各デバイスがチャットデータを直接要求する場合に、各デバイスにチャットデータを転送することもできる。
【００２１】
本発明のまた他の実施例によれば、チャットデータは、デバイス（２２）からデバイス（２３）に直接転送されることもできる。言い換えれば、チャットデータは、チャットデータ管理サーバ（１０）を経由することなく、デバイス（２２）とデバイス（２３）とを連結する第２ネットワークを通じて、デバイス（２２）とデバイス（２３）との間に直接転送されることもできる。
【００２２】
デバイス（２１〜２３）のそれぞれは、ユーザーインターフェイスを通じて入力されたテキスト及びイメージデータを該当デバイスに搭載されたディスプレイのチャット領域内に表示する。この際、デバイス（２１〜２３）のそれぞれは、チャット領域のうちユーザーインターフェイスを通じて選択された任意の位置に対応する領域にイメージデータを表示することができる。これにより、デバイス（２１〜２３）のそれぞれは、デバイス（２１〜２３）のそれぞれのユーザーが所望する領域にイメージデータを表示することができる。ここで、このようなイメージデータの一例は、ステッカーイメージデータである。
【００２３】
デバイス（２１〜２３）のそれぞれは、他のデバイスからリアルタイムで伝達されたテキスト及びイメージデータをチャット領域内に表示する。その際、デバイス（２１〜２３）のそれぞれは、他のデバイスからイメージデータに関する位置情報をさらに受信し、チャット領域のうち受信された位置情報に対応する領域にイメージデータを表示することができる。これにより、デバイス（２１〜２３）のそれぞれは、デバイス（２１〜２３）の
それぞれのユーザーが所望する任意の領域、または、他のデバイスの他のユーザーが所望する任意の領域にイメージを表示することができる。
【００２４】
デバイス（２１〜２３）のそれぞれは、ユーザーインターフェイスまたは他のデバイスからチャット領域に表示されたイメージデータに対する制御命令が入力される場合、表示されたイメージデータを制御することができる。例えば、デバイス（２１〜２３）のそれぞれは、制御命令として位置移動命令が入力される場合、表示されたイメージデータの位置を移動させることができる。他の例として、デバイス（２１〜２３）のそれぞれは、表示されたイメージに対する選択（例えば、クリックまたはタッチ）が入力される場合、表示されたイメージデータを非表示することもできる。このように、デバイス（２１〜２３）のそれぞれは、リアルタイムチャットに参加するユーザーにチャット領域に表示されたイメージに対する削除及び位置移動のような制御権限を付与することで、サービス参加及び利用を誘導することができる。
【００２５】
本発明の様々な実施例によれば、デバイス（２１〜２３）のそれぞれは、様々な形態のデバイスであり得る。例えば、デバイスは、ネットワークを通じて遠隔地のサーバに接続できるテレビ装置、コンピュータまたは携帯用端末である。ここで、テレビ装置の一例としては、スマートテレビ、ＩＰテレビセットトップボックスなどが含まれ、コンピュータの一例としては、ウェブブラウザ（ＷＥＢ  Ｂｒｏｗｓｅｒ）が搭載されたノートパンコン、デスクトップ（ｄｅｓｋｔｏｐ）、ラップトップ（ｌａｐｔｏｐ）などが含まれ、携帯用端末の一例としては、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：登録商標）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ
Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ
Ｂｒｏａｄｂａｎｄ  Ｉｎｔｅｒｎｅｔ）端末、スマートフォン（ｓｍａｒｔｐｈｏｎｅ）、タブレットＰＣなどのような全ての種類のハンドヘルド（Ｈａｎｄｈｅｌｄ）に基づいた無線通信装置が含まれ得る。
【００２６】
以下では、図１のチャットサービス提供システムに含まれたそれぞれの構成要素の動作について、より具体的に説明する。
【００２７】
図２は、本発明の一実施例に係るデバイス（２０）の構成図である。このようなデバイス（２０）は、図１に示されたデバイス（２１〜２３）のいずれかのデバイスを意味する。但し、図１に示されたデバイス（２１〜２３）の形態に限定されるものではない。
【００２８】
図２を参照すると、デバイス（２０）は、データ通信部（２０１）、テキスト表示部（２０２）、イメージ検索部（２０３）、位置検出部（２０４）、イメージ表示部（２０５）及びユーザーインターフェイス（２０６）を含む。但し、図２に示されたデバイス（２０）は、本発明の一つの具現例に過ぎず、図２に示された構成要素に基づいて様々な変形が可能である。例えば、デバイス（２０）は、音声を出力する音声出力装置、映像を出力するディスプレイをさらに含むこともできる。
【００２９】
データ通信部（２０１）は、ネットワークを通じて外部デバイス（３０）のチャットデータを受信する。このとき、データ通信部（２０１）は、チャットデータ管理サーバ（１０）からチャットデータを受信することができる。一般的に、チャットデータはテキスト
、イメージデータ及びイメージデータに連関した位置情報のうち少なくとも一つ以上を含む。また、データ通信部（２０１）は、ネットワークを通じて連結された外部デバイス（３０）にチャットデータを転送することもできる。一般的に、外部デバイス（３０）は、図１に示されたデバイス（２１〜２３）のいずれかのデバイスであるが、図１に示されたデバイス（２１〜２３）の形態に限らない。
【００３０】
データ通信部（２０１）は、チャットデータ管理サーバ（１０）からチャットデータを受信する。このとき、チャットデータ管理サーバ（１０）は、外部デバイス（３０）からデバイス（２０）を目的地として有するチャットデータに関する情報（例えば、識別情報または選択情報）を受信し、受信された情報を利用してチャットデータをデータ通信部（２０１）に転送する。
【００３１】
データ通信部（２０１）は、チャットデータ管理サーバ（１０）からチャットデータに関する識別情報を受信し、受信された識別情報を通じてチャットデータ管理サーバ（１０）からチャットデータを受信することができる。このとき、チャットデータに関する識別情報は、外部デバイス（３０）からチャットデータ管理サーバ（１０）に転送されたものである。即ち、チャットデータ管理サーバ（１０）は、チャットデータを格納した状態でデバイスとチャットデータに関する識別情報のみを送受信し、特定のデバイスが識別情報を通じてチャットデータを要求する場合に、要求されたチャットデータをデバイスに転送することもできる。
【００３２】
上述の説明とは異なり、データ通信部（２０１）は、チャットデータ管理サーバ（１０）を経由することなく、外部デバイス（３０）とチャットデータを直接送信及び受信することもできる。
【００３３】
テキスト表示部（２０２）は、テキストをチャット領域に表示する。その際、テキストは、外部デバイス（３０）から受信されたテキスト、または、ユーザーインターフェイス（２０６）から入力されたテキストである。チャット領域は、デバイス（２０）のディスプレイに表示された領域であって、ユーザーインターフェイス（２０６）から入力されたか、外部デバイス（３０）から受信されたテキストを表示するグラフィック領域である。
【００３４】
図３は、図２のデバイス（２０）の動作の一例を説明するための図面である。図３の図面符号４１により例示すれば、テキスト表示部（２０２）は、デバイス（２０）のディスプレイ（４１１）に表示されたチャット領域（４１２）内にユーザーインターフェイス（２０６）から入力されたテキストである「いや、大丈夫」（４１３）を表示するか、または、外部デバイス（３０）から受信されたテキストである「忙しいの？」（４１４）、または、「ダイエットしてよ」（４１５）を表示することができる。この際、テキストである「いや、大丈夫」（４１３）、「忙しいの？」（４１４）及び「ダイエットしてよ」（４１５）のそれぞれは、図面符号４１に示されたように吹き出しの形態で表示されてもよい。
【００３５】
イメージ検索部（２０３）は、ユーザーインターフェイス（２０６）を通じて選択されたイメージのイメージデータを検索する。具体的に、イメージ検索部（２０３）は、イメージ表示部（２０５）がユーザーインターフェイス（２０６）からイメージを呼び出す命令の入力を受け、デバイス（２０）のディスプレイの所定領域に複数のイメージを表示する場合、表示された複数のイメージのうちユーザーインターフェイス（２０６）を通じて選択されたイメージのイメージデータを検索することができる。この際、複数のイメージは、複数のイメージのそれぞれが使用された時間に応じて順次整列されてもよい。例えば、複数のイメージのうち最も最近使用された第１イメージは、他のイメージに比べてイメージリストの中で第１行の第１列に表示され得る。このために、ユーザーインターフェイ
ス（２０６）は、イメージが使用された時間に応じて順次整列された複数のイメージリストをユーザーに提供することができる。
【００３６】
イメージ検索部（２０３）は、ユーザーインターフェイス（２０６）を通じて選択されたイメージのイメージデータの情報（例えば、識別情報または選択情報）を検索する。この場合、デバイス（２０）は、イメージデータの情報を格納し、必要に応じてチャットデータ管理サーバ（１０）から情報に対応するイメージデータを受信することができる。
【００３７】
本発明の一実施例によれば、選択されたイメージは第１類型のイメージである。一般的に、第１類型のイメージは、イメージが表示される領域が検出された位置情報に対応する領域である、イメージを意味する。第１類型のイメージは、イメージが表示される領域がデフォルト値によって決定される領域である、第２類型のイメージと区別される。このとき、第１類型のイメージの一例はステッカー類型のイメージであり、第２類型のイメージの一例はエモティコン類型のイメージである。ステッカー類型のイメージは、ユーザーインターフェイス（２０６）を通じて選択された領域に表示されるので、ユーザーが所望する任意の領域に表示できる。一方、エモティコン類型のイメージは、デフォルト値によって決定された領域にのみ表示が可能である。
【００３８】
第１類型のイメージは、検出された位置情報に対応する領域に、イメージ表示部（２０５）により表示される。一方、第２類型のイメージは、デフォルト値によって決定される領域に、イメージ表示部（２０５）により表示される。デフォルト値によって決定される領域の一例は、最近のテキストが表示される領域から所定距離以内の領域、最近のテキストが表示される領域の左側または右側領域、または、最近のテキストが表示される領域を中心に縮小または拡大される領域である。
【００３９】
図３の図面符号４２を参照すると、イメージ検索部（２０３）は、複数のイメージのうち、ユーザーインターフェイスを通じて選択されたイメージ（４２３）のイメージデータを検索する。図３に示されたように、複数のイメージ（４２３〜４２５）は、ユーザーインターフェイス（２０６）から入力された呼び出し命令に対応して活性化された領域（４２１）に表示される。領域（４２１）が活性化されることにより、チャット領域は領域（４１２）から領域（４２２）に変更される。複数のイメージ（４２３〜４２５）のうちイメージ（４２３）は、最も最近使用されたイメージであって、他のイメージ（４２４、４２５）に比べて最上位行の最左側列に表示され得る。
【００４０】
イメージ検索部（２０３）は、データベース（未図示）からイメージデータを検索する。この際、データベース（未図示）は、ユーザーインターフェイス（２０６）から入力されたイメージデータ、及び、外部デバイス（３０）から入力されたイメージデータを格納している。但し、データベース（未図示）は、イメージデータの情報を格納し、イメージ検索部（２０３）は、必要に応じてチャットデータ管理サーバ（１０）から情報に対応するイメージデータを受信することができる。また、データベース（未図示）は、イメージデータの他にテキスト及び位置情報も格納することができる。このようなデータベース（未図示）の一例としては、デバイス（２０）の内部または外部に存在するハードディスクドライブ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ及びメモリカードなどが含まれる。
【００４１】
デバイス（２０）のユーザーは、ユーザーインターフェイス（２０６）を通じてイメージを表示する領域を選択する。例えば、ユーザーは、ユーザーインターフェイス（２０６）であるタッチスクリーンインターフェイスを通じて、自分の指をチャット領域内の所定の点領域に位置させることで、領域を選択することができる。このとき、点領域は、一つのピクセルまたは少なくとも二つ以上のピクセルで特定される。他の例として、ユーザー
は、ユーザーインターフェイス（２０６）であるタッチスクリーンインターフェイスを通じて自分の指を移動して円、三角、または四角でなった所定の面領域を特定することで、領域を選択することもできる。このとき、面領域は、一つのピクセルまたは少なくとも二つ以上のピクセルで特定される。
【００４２】
図３の図面符号４３に示されたように、イメージ表示部（２０５）は、「ステッカーを貼りたい部分を選択して下さい」のように、領域を選択することを知らせるお知らせメッセージ（４３１）をデバイス（２０）のディスプレイに表示し、ユーザーインターフェイス（２０６）から「確認」（４３２）が選択される場合、お知らせメッセージ（４３１）を非表示する。
【００４３】
位置検出部（２０４）は、チャット領域内でユーザーインターフェイス（２０６）を通じて選択された領域の位置情報を検出する。このとき、位置情報は、選択された領域を特定する座標情報であってもよい。例えば、位置情報は、ユーザーインターフェイス（２０６）を通じて選択された領域内の少なくとも一つ以上のピクセルの座標情報である。このような座標情報は、複数のピクセルのそれぞれを単一数値で特定する識別番号であってもよく、ｘ軸及び  ｙ軸位置を含む２Ｄ座標であってもよく、ｘ軸、ｙ軸及びｚ軸位置を含む３Ｄ座標であってもよい。
【００４４】
選択された領域は、区切りラインによって区切られた少なくとも二つ以上のセル領域のうち、ユーザーインターフェイス（２０６）を通じて選択されたいずれかのセル領域であってもよい。このとき、チャット領域は、区切りラインにより少なくとも二つ以上のセル領域に区切られる。位置検出部（２０４）は、選択されたいずれかのセル領域の位置情報を検出することができる。位置情報は、座標情報であってもよく、座標情報は、複数のセルのそれぞれを単一数値で特定する識別番号であってもよく、ｘ軸及びｙ軸位置を含む２Ｄ座標であってもよく、ｘ軸、ｙ軸及びｚ軸位置を含む３Ｄ座標であってもよい。イメージ表示部（２０５）は、チャット領域内に少なくとも二つ以上のセルを区切る区切りラインを表示することができる。図３の図面符号４３及び４４により例示すれば、イメージ表示部（２０５）は、チャット領域内に少なくとも二つ以上のセルを区切る区切りライン（４３３）を表示することができる。
【００４５】
イメージを表示するために選択された領域は、テキストが表示された領域の全部または一部にオーバーラップされ得る。つまり、ユーザーインターフェイス（２０６）を通じて選択された領域に表示されたイメージは、テキストが表示される領域の全部または一部を隠すことが可能である。
【００４６】
ユーザーインターフェイスを通じて選択しようとする領域がチャット領域に既表示されたテキストから所定距離以内である場合、既表示されたテキストには、イメージ表示部（２０５）により、強調効果が現われることができる。例えば、イメージ表示部（２０５）は、選択しようとする領域がチャット領域に既表示されたテキストから所定距離以内である場合、既表示されたテキストまたは既表示されたテキストの吹き出しを周期的に点滅するか、既表示されたテキストの文字色を変更するか、または、既表示されたテキストの吹き出しの色を変更することができる。他の例としては、イメージ表示部（２０５）は、選択しようとする領域がチャット領域に既表示されたテキストに全部または一部オーバーラップされる場合、既表示されたテキストまたは既表示されたテキストの吹き出しを周期的に点滅するか、既表示されたテキストの文字色を変更するか、または、既表示されたテキストの吹き出しの色を変更することができる。
【００４７】
図３に示されたように、位置検出部（５０４）は、ユーザーインターフェイス（２０６）を通じて選択された領域（４４１）の位置情報を検出する。このために、ユーザーは、
ユーザーインターフェイス（２０６）であるタッチスクリーンインターフェイスを通じて、自分の指（４４２）をチャット領域内の所定の点領域に位置させることで、領域を選択することができる。位置情報は、ユーザーが直接特定した点領域の位置情報であってもよく、区切りライン（４３３）で区切られる少なくとも二つ以上のセルのうちいずれかのセル領域の位置情報であってもよい。
【００４８】
イメージ表示部（２０５）は、検索されたイメージデータを検出された位置情報に対応する領域に表示する。この際、検出された位置情報は、ユーザーインターフェイス（２０６）を通じて選択された領域の位置情報を意味し、位置情報に対応する領域は、イメージデータが表示される領域を意味する。従って、一般的に、ユーザーインターフェイス（２０６）を通じて選択された領域は、位置情報に対応する領域と区別される。例えば、ユーザーインターフェイス（２０６）を通じて選択された領域がチャット領域内の所定の円領域で特定されることに対し、位置情報に対応する領域は、円領域の中心、イメージデータのｘ軸距離、及び、イメージデータのｙ軸距離によって特定される所定の四角形領域で特定され得る。但し、本発明の他の実施例によれば、ユーザーインターフェイス（２０６）を通じて選択された領域と位置情報に対応する領域とは同一であることもある。
【００４９】
イメージデータが表示された領域、即ち、位置情報に対応する領域は、テキストが表示された領域の全部または一部にオーバーラップされ得る。言い換えれば、イメージデータが表示された領域は、テキストが表示される領域の全部または一部に重なることが可能である。一般的に、テキストは、テキスト表示部（２０２）によってチャット領域に表示され、イメージデータは、イメージ表示部（２０５）によってチャット領域に表示されるが、これに限定されるものではない。
【００５０】
チャット領域に表示されたテキストがチャット領域内で位置移動する場合、表示されたイメージデータもチャット領域内で共に位置移動する。例えば、チャット領域内に第１テキストないし第７テキストが表示され、チャット領域内に第１イメージが表示された後、ユーザーインターフェイス（２０６）または外部デバイス（３０）から第８テキストが入力される場合、第１テキストは、チャット領域内で非表示され、第２テキストないし第７
テキストがチャット領域内で上方向に位置移動し、第１イメージもチャット領域内で上方向に位置移動する。また、第１テキストないし第８テキストが表示される領域は、デフォルト値によって決定されることに対し、第１イメージが表示される領域は、ユーザーインターフェイス（２０６）によって任意に決定されることができる。この際、第１テキストないし第８テキストは、テキスト表示部（２０２）によって表示、非表示または位置移動され、イメージデータは、イメージ表示部（２０５）によって表示、非表示または位置移動されることができる。このために、テキスト表示部（２０２）とイメージ表示部（２０５）との間に制御信号が送受信されることができる。一般的に、第１イメージは、ユーザーによって位置が決定されるステッカー類型のイメージを意味する。
【００５１】
図３の図面符号４５により例示すれば、イメージ表示部（２０５）は、検索されたイメージデータを検出された位置情報に対応する領域（４５１）に表示する。この際、位置情報に対応する領域（４５１）は、テキスト（４１５）が表示された領域の全部にオーバーラップされ得る。言い換えれば、位置情報に対応する領域（４５１）は、テキスト（４１５）が表示される領域の全部を隠すことが可能である。
【００５２】
図３を参照すると、ユーザーインターフェイス（２０６）から入力されたテキストである「いや、大丈夫」（４１３）は、チャット領域の右側にデフォルト値によって決定された領域に表示される。また、ユーザーインターフェイス（２０６）から入力されたテキストである「いや、大丈夫」（４１３）は、チャットの進行状況に応じてチャット領域の右側にデフォルト値によって決定された第１領域から第２領域（例えば、第１領域の上）に
移動される。このような脈絡で、外部デバイス（３０）から受信されたテキストである「忙しいの？」（４１４）または「ダイエットしてよ」（４１５）も、チャット領域の左側にデフォルト値によって決定された領域に表示され、チャットの進行状況に応じてデフォルト値によって決定された第３領域から第４領域（例えば、第３領域の上）に移動される。これとは対照的に、イメージデータは、ユーザーによって決定される任意の領域（４５１）に表示できる。
【００５３】
イメージ表示部（２０５）は、表示されたイメージデータを移動させることができる。具体的に、位置検出部（２０４）がユーザーインターフェイス（２０６）を通じて表示されたイメージデータに対する移動命令の入力を受け、入力された移動命令に基づいて表示されたイメージデータが移動される目的地領域の位置情報を検出すると、イメージ表示部（２０５）は、検出された目的地領域の位置情報に対応する領域に表示されたイメージデータを移動させることができる。移動命令の一例は、表示されたイメージデータがユーザーによって移動可能な状態に活性化され、活性化されたイメージデータがユーザーによって目的地領域に移動されることである。この際、表示されたイメージデータは、ユーザーが表示されたイメージデータの領域内に指を数秒間タッチすることで、活性化される。
【００５４】
データ通信部（２０１）は、イメージデータと位置情報とを外部デバイス（３０）に転送する。この際、データ通信部（２０１）は、イメージ検索部（２０３）がユーザーインターフェイス（２０６）を通じて選択されたイメージのイメージデータを検索し、位置検出部（２０４）がチャット領域内でユーザーインターフェイス（２０６）を通じて選択された領域の位置情報を検出する場合、検索されたイメージデータと検出された位置情報とを外部デバイス（３０）に転送することができる。また、データ通信部（２０１）は、イメージ表示部（２０５）が検索されたイメージデータを検出された位置情報に対応する領域に表示する場合、データ通信部（２０１）は、検索されたイメージデータと検出された位置情報とを外部デバイス（３０）に転送することもできる。外部デバイス（３０）は、外部デバイス（３０）のチャット領域のうち検出された位置情報に対応する領域に受信されたイメージデータを表示する。
【００５５】
イメージ表示部（２０５）は、外部デバイス（３０）から受信された外部イメージデータを表示する。この際、データ通信部（２０１）は、外部デバイス（３０）から外部イメージデータ及び外部位置情報を受信し、イメージ表示部（２０５）は、チャット領域のうち外部位置情報に対応する領域に外部イメージデータを表示することができる。外部位置情報は、外部デバイス（３０）のユーザーインターフェイスを通じて選択された領域の位置情報を意味する。一般的に、外部ユーザーは、外部デバイス（３０）のユーザーインターフェイスであるタッチスクリーンインターフェイスを通じて自分の指をチャット領域内の所定の点領域に位置させることで、領域を選択することもでき、外部デバイス（３０）のユーザーインターフェイスであるタッチスクリーンインターフェイスを通じて自分の指を移動して円、三角、または、四角でなった所定の面領域を特定することで、前記領域を選択することもできる。また、外部位置情報は、複数のピクセルのそれぞれを単一数値で特定する識別番号であってもよく、ｘ軸及びｙ軸位置を含む２Ｄ座標であってもよく、ｘ軸、ｙ軸及びｚ軸位置を含む３Ｄ座標であってもよい。
【００５６】
イメージ表示部（２０５）は、データ通信部（２０１）が外部デバイス（３０）から外部イメージデータを受信する場合、外部イメージデータを受信したことを知らせるお知らせメッセージをデバイス（２０）のディスプレイに表示することができる。また、イメージ表示部（２０５）は、データ通信部（２０１）が外部デバイス（３０）から外部イメージデータに連関した位置情報を受信する場合、外部イメージデータを受信したこと、または、位置情報を受信したことを知らせるお知らせメッセージをデバイス（２０）のディスプレイに表示することができる。
【００５７】
図４は、図２のイメージ表示部（２０５）によってお知らせメッセージが表示される一例を示す図面である。図４を参照すると、イメージ表示部（２０５）は、データ通信部（２０１）がユーザーＡの外部デバイス（３０）から外部イメージデータであるステッカーイメージを受信する場合、ユーザーＡからステッカーイメージを受信したことを知らせるお知らせメッセージである「Ａ様がステッカーを貼りました」（４６）をデバイス（２０）のディスプレイに表示することができる。図４に示されたように、お知らせメッセージは、チャット領域が活性化されていないロック画面上にプッシュ（ｐｕｓｈ）メッセージの形態で表示できる。
【００５８】
ユーザーインターフェイス（２０６）は、ユーザーから制御命令の入力を受ける道具または装置を意味する。このようなユーザーインターフェイス（２０６）は、キーボード、マウス、タッチスクリーンなどのような物理的な入力装置であるが、映像出力装置に表現されるグラフィックユーザーインターフェイス（ＧＵＩ、Ｇｒａｐｈｉｃａｌ  Ｕｓｅｒ
ｉｎｔｅｒｆａｃｅ）であってもよい。
【００５９】
ユーザーインターフェイス（２０６）は、チャット領域に表示されるイメージデータを修正するための道具を提供することができる。例えば、ユーザーインターフェイス（２０６）は、ユーザーインターフェイス（２０６）を通じて選択されたイメージデータ、または、外部デバイス（３０）から受信されたイメージデータを修正するためのグラフィックの編集道具を提供することができる。この際、ユーザーインターフェイス（２０６）を通じて選択されたイメージデータ、または、外部デバイス（３０）から受信されたイメージデータは、ステッカーイメージ類型のイメージデータであってもよい。
【００６０】
ユーザーインターフェイス（２０６）は、イメージデータを生成するための道具を提供することもできる。例えば、ユーザーインターフェイス（２０６）は、外部から受信された原本イメージからイメージデータを生成するためのグラフィック編集道具を提供することもでき、または、デバイス（２０）のディスプレイでキャプチャされたキャプチャイメージからイメージデータを生成するためのグラフィック編集道具を提供することもできる。この際、原本イメージから生成されたイメージデータ、または、キャプチャイメージから生成されたイメージデータは、ステッカーイメージ類型のイメージデータであってもよい。
【００６１】
図５は、本発明の他の実施例に係るデバイス（５０）の構成図である。デバイス（５０）は、図１に示されたデバイス（２１〜２３）のいずれかのデバイスを意味するが、図１のデバイス（２１〜２３）の形態に限定されるものではない。
【００６２】
図５を参照すると、デバイス（５０）は、データ通信部（５０１）、テキスト表示部（５０２）、イメージ検索部（５０３）、位置検出部（５０４）、イメージ表示部（５０５）、ユーザーインターフェイス（５０６）、イメージ削除部（５０７）、及び、決済処理部（５０８）を含む。デバイス（５０）の構成のうち、データ通信部（５０１）、テキスト表示部（５０２）、イメージ検索部（５０３）、位置検出部（５０４）、イメージ表示部（５０５）、及び、ユーザーインターフェイス（５０６）のそれぞれは、図２のデバイス（２０）のデータ通信部（２０１）、テキスト表示部（２０２）、イメージ検索部（２０３）、位置検出部（２０４）、イメージ表示部（２０５）、及び、ユーザーインターフェイス（２０６）のそれぞれに対応する。従って、図５のデータ通信部（５０１）ないしユーザーインターフェイス（５０６）のそれぞれについて説明されていない内容は、上記の図２のデバイス（２０）のデータ通信部（２０１）ないしユーザーインターフェイス（２０６）のそれぞれについて説明された内容を準用する。また、図５のデータ通信部（５０１）ないしユーザーインターフェイス（５０６）のそれぞれについて説明される内容は
、図２のデバイス（２０）のデータ通信部（２０１）ないしユーザーインターフェイス（２０６）のそれぞれに対しても準用され得る。また、外部デバイス（６０）について説明されていない事項は、デバイス（３０）について説明された内容を準用し、外部デバイス（６０）について説明された内容は、デバイス（３０）にも準用され得る。
【００６３】
図５に示されたデバイス（５０）は、本発明の一つの具現例に過ぎず、図５に示された構成要素に基づいて様々な変形が可能である。例えば、デバイス（５０）は、音声を出力する音声出力装置、映像を出力するディスプレイをさらに含むこともできる。
【００６４】
データ通信部（５０１）は、ネットワークを通じて外部デバイス（６０）のチャットデータを受信する。この際、チャットデータは、テキスト、イメージデータ及びイメージデータに連関した位置情報のうち少なくとも一つ以上を含む。
【００６５】
テキスト表示部（５０２）は、テキストをチャット領域に表示する。この際、テキストは、外部デバイス（６０）から受信されたテキスト、または、ユーザーインターフェイス（５０６）から入力されたテキストである。チャット領域は、デバイス（５０）のディスプレイに表示された領域であって、ユーザーインターフェイス（５０６）から入力されるか、外部デバイス（６０）から受信されたテキストを表示するグラフィック領域を意味する。
【００６６】
イメージ検索部（５０３）は、ユーザーインターフェイス（５０６）を通じて選択されたイメージのイメージデータを検索する。具体的に、イメージ表示部（５０５）がユーザーインターフェイス（５０６）からイメージを呼び出す命令の入力を受け、デバイス（５０）のディスプレイの所定領域に複数のイメージを表示する場合、イメージ検索部（５０３）は、複数のイメージのうちユーザーインターフェイスを通じて選択されたイメージのイメージデータを検索することができる。
【００６７】
位置検出部（５０４）は、チャット領域内でユーザーインターフェイス（５０６）を通じて選択された領域の位置情報を検出する。ユーザーは、ユーザーインターフェイス（５０６）を通じて領域を選択することができる。
【００６８】
イメージ表示部（５０５）は、検索されたイメージデータを検出された位置情報に対応する領域に表示する。この際、検出された位置情報は、ユーザーインターフェイス（５０６）を通じて選択された領域の位置情報を意味し、位置情報に対応する領域は、イメージデータが表示される領域を意味する。従って、一般的に、ユーザーインターフェイス（５０６）を通じて選択された領域は、位置情報に対応する領域と区別される。但し、本発明の他の実施例によれば、ユーザーインターフェイス（５０６）を通じて選択された領域と位置情報に対応する領域は同一であってもよい。
【００６９】
ユーザーインターフェイス（２０６）は、ユーザーから制御命令の入力を受ける道具または装置を意味する。このようなユーザーインターフェイス（２０６）は、キーボード、マウス、タッチスクリーンなどのような物理的な入力装置であるが、映像出力装置に表現されるグラフィックユーザーインターフェイス（ＧＵＩ、Ｇｒａｐｈｉｃａｌ  Ｕｓｅｒ
ｉｎｔｅｒｆａｃｅ）であってもよい。
【００７０】
イメージ削除部（５０７）は、ユーザーインターフェイス（５０６）を通じてイメージデータが表示された領域に対する選択の入力を受ける場合、表示されたイメージデータを非表示させることができる。例えば、ユーザーがユーザーインターフェイス（５０６）であるタッチスクリーンを通じて表示されたイメージデータに指を位置（または、クリック、タッチ）させる場合、イメージ削除部（５０７）は、表示されたイメージデータを非表
示させることができる。イメージデータが表示された領域に対する選択は、表示されたイメージデータを非表示させることを指示するユーザーの命令の一例である。従って、本発明の様々な実施例によれば、イメージデータを非表示させることを指示するユーザーの命令は、ユーザーがディスプレイ上に表示されたアイコンを選択するか、デバイス（５０）のハードウェアボタンを選択することである。また、本発明の他の実施例によれば、イメージ削除部（５０７）の動作は、イメージ表示部（５０５）によって行われる。
【００７１】
図６は、図５のデバイス（５０）の動作の一例を説明するための図面である。図６の図面符号４６及び４７によりイメージ削除部（５０７）の動作を例示すると、イメージ削除部（５０７）は、ユーザーの指（４６１）が表示されたイメージデータ（４５１）上に位置すると、ユーザーインターフェイス（５０６）のタッチスクリーンを通じてユーザーの指（４６１）が表示されたイメージデータ上に位置したことを認識し、表示されたイメージデータ（４５１）を非表示させることができる。図面符号４７は、表示されたイメージデータ（４５１）が非表示されたことを示す。図面符号４８に示されたように、イメージ表示部（５０５）は、ユーザーがチャット領域を非活性化させてから再び活性化させた場合、非表示されたイメージデータ（４５１）を再表示することもできる。言い換えれば、イメージ表示部（５０５）は、ユーザーがチャット領域から出てから、チャット領域に再び入ってくると、非表示されたイメージデータ（４５１）を再表示することもできる。
【００７２】
イメージ削除部（５０７）は、ユーザーインターフェイス（５０５）からイメージ非表示命令の入力を受ける場合、チャット領域に既表示された少なくとも一つ以上のイメージデータを非表示させることができる。この際、イメージ非表示命令は、チャット領域に既表示された少なくとも一つ以上のイメージデータを全部非表示させることを指示するユーザー命令を意味する。このようなイメージ非表示命令の一例は、ユーザーが既表示された少なくとも一つ以上のイメージデータのうちいずれかを選択するか、ユーザーがディスプレイ上に表示された非表示アイコンを選択するか、デバイス（５０）のハードウェアの非表示ボタンを選択することである。本発明の他の実施例によれば、イメージ削除部（５０７）の動作は、イメージ表示部（５０５）によって行われる。
【００７３】
イメージ削除部（５０７）が表示されたイメージデータを非表示させる場合、データ通信部（５０１）は、イメージデータの非表示の趣旨を知らせる信号を外部デバイス（６０）に送信することができる。その際、非表示の趣旨を知らせる信号は、非表示されたイメージデータを識別する識別情報を含むことができる。このような識別情報は、非表示されたイメージデータの位置情報であってもよい。外部デバイス（６０）は、非表示の趣旨を知らせる信号を参照して、外部デバイス（６０）に表示された少なくとも一つ以上のイメージデータを非表示させることができる。
【００７４】
決済処理部（５０８）は、イメージデータに対応する少なくとも一つ以上の決済プロセスを行う。決済プロセスの一例は、イメージデータを購入し、購入したイメージデータを決済する決済プロセスである。例えば、決済プロセスは、ユーザーがユーザーインターフェイス（５０６）を通じてイメージデータに対する購入要請を入力する場合、デバイス（５０）から決済サーバ（未図示）またはチャットデータ管理サーバ（１０）にイメージデータの決済要請メッセージが転送され、決済サーバ（未図示）またはチャットデータ管理サーバ（１０）からイメージデータの決済完了メッセージを受信する。
【００７５】
決済プロセスの他の例は、イメージデータを他のユーザーにプレゼントするためのプレゼントのプロセスである。例えば、プレゼントのプロセスは、ユーザーがユーザーインターフェイス（５０６）を通じて外部デバイス（６０）にイメージデータをプレゼントする要請を入力する場合、デバイス（５０）から決済サーバ（未図示）またはチャットデータ管理サーバ（１０）にイメージデータの決済要請メッセージが転送され、決済サーバ（未
図示）またはチャットデータ管理サーバ（１０）からイメージデータの決済完了メッセージが受信され、外部デバイス（６０）にイメージデータを転送する。本発明の様々な実施例によれば、決済プロセスの一例は多様に決定される。
【００７６】
図７は、本発明のまた他の実施例に係るデバイス（７０）の構成図である。デバイス（７０）は、図５の外部デバイス（６０）を意味することができ、外部デバイス（８０）は、図５のデバイス（５０）を意味することができる。従って、図７によりデバイス（７０）について説明されていない事項は、図２のデバイス（３０）について説明された内容、または、図５によりデバイス（６０）について説明された内容を準用することができる。
【００７７】
図７を参照すると、デバイス（７０）は、データ通信部（７０１）、テキスト表示部（７０２）、イメージ表示部（７０３）、ユーザーインターフェイス（７０４）、及び、イメージ削除部（７０５）を含む。但し、図７に示されたデバイス（７０）は、本発明の一つの具現例に過ぎず、図７に示された構成要素に基づいて様々な変形が可能である。例えば、デバイス（７０）は、デバイス（５０）のイメージ検索部（５０３）の動作を行う構成、デバイス（５０）の位置検出部（５０４）の動作を行う構成、及び、デバイス（５０）の決済処理部（５０８）の動作を行う構成のそれぞれをさらに含むこともできる。
【００７８】
デバイス（７０）は、デバイス（６０）の動作を行うと同時に、デバイス（２０）またはデバイス（５０）の動作を行うこともできる。従って、デバイス（７０）の構成のうちデータ通信部（７０１）、テキスト表示部（７０２）、イメージ表示部（７０３）、ユーザーインターフェイス（７０４）、及び、イメージ削除部（７０５）のそれぞれは、デバイス（２０）のデータ通信部（２０１）、テキスト表示部（２０２）、イメージ表示部（２０５）、ユーザーインターフェイス（２０６）、及び、イメージ削除部（２０７）のそれぞれの動作、または、デバイス（５０）のデータ通信部（５０１）、テキスト表示部（５０２）、イメージ表示部（５０５）、ユーザーインターフェイス（５０６）、及び、イメージ削除部（５０７）のそれぞれの動作を行うこともできる。また、デバイス（７０）は、イメージ検索部（２０３）またはイメージ検索部（５０３）の動作を行う構成、位置検出部（２０４）または位置検出部（５０４）の動作を行う構成、及び、デバイス（５０）の決済処理部（５０８）の動作を行う構成のそれぞれをさらに含むこともできる。
【００７９】
データ通信部（７０１）は、ネットワークを通じて外部デバイス（８０）のチャットデータを受信する。その際、チャットデータは、テキスト、イメージデータ及びイメージデータに連関した位置情報のうち少なくとも一つ以上を含む。また、データ通信部（７０１）は、ネットワークを通じて外部デバイス（７０）にチャットデータを転送することができる。
【００８０】
データ通信部（７０１）は、チャットデータ管理サーバ（１０）を経由して外部デバイス（７０）からチャットデータを受信することもでき、チャットデータ管理サーバ（１０）を経由せずに、外部デバイス（８０）から直接チャットデータを受信することができる。また、データ通信部（７０１）は、チャットデータ管理サーバ（１０）とチャットデータに関する情報（例えば、識別情報、選択情報、または、識別コードのいずれか）を送受信することもできる。
【００８１】
テキスト表示部（７０２）は、テキストをチャット領域に表示する。その際、テキストは、外部デバイス（８０）から受信されたテキスト、または、ユーザーインターフェイス（７０４）から入力されたテキストである。チャット領域は、デバイス（７０）のディスプレイに表示された領域であって、ユーザーインターフェイス（７０４）から入力されるか、外部デバイス（８０）から受信されたテキストを表示するグラフィック領域を意味する。
【００８２】
イメージ表示部（７０３）は、受信されたイメージデータを受信された位置情報に対応する領域に表示する。この際、表示されたテキストがチャット領域内で位置移動する場合、表示されたイメージデータもチャット領域内で位置移動されることができる。また、受信された位置情報は、外部デバイス（８０）のユーザーインターフェイスを通じて選択された領域の位置情報を意味し、位置情報に対応する領域は受信されたイメージデータが表示される領域を意味する。
【００８３】
ユーザーインターフェイス（７０４）は、ユーザーから制御命令の入力を受ける道具または装置を意味する。このようなユーザーインターフェイス（７０４）は、キーボード、マウス、タッチスクリーンなどのような物理的な入力装置であってもよいが、映像出力装置に表現されるグラフィックユーザーインターフェイス（ＧＵＩ、Ｇｒａｐｈｉｃａｌ  Ｕｓｅｒ  ｉｎｔｅｒｆａｃｅ）であってもよい。
【００８４】
イメージ削除部（７０５）は、データ通信部（７０１）が外部デバイス（８０）から転送されたイメージデータの非表示の趣旨を知らせる信号を受信する場合、表示されたイメージを非表示させる。このようなイメージ削除部（７０５）の動作は、イメージ表示部（７０３）によって行われることもできる。
【００８５】
図８は、図１のチャットデータ管理サーバ（１０）の構成図である。図８を参照すると、チャットデータ管理サーバ（１０）は、テキスト管理部（１０１）、イメージデータ管理部（１０２）及び位置情報管理部（１０３）を含む。但し、図８に示されたチャットデータ管理サーバ（１０）は、本発明の一つの具現例に過ぎず、図８に示された構成要素に基づいて様々な変形が可能である。例えば、チャットデータ管理サーバ（１０）は、チャットデータ管理サーバ（１０）内部の各構成を制御するための管理者インターフェイスをさらに含むこともできる。
【００８６】
テキスト管理部（１０１）は、ネットワークを通じて連結された複数のデバイスのうち第１デバイス（８１）からテキストを受信し、受信されたテキストを第２デバイス（８２）に転送する。イメージデータ管理部（１０２）は、第１デバイス（８１）からイメージデータを受信し、受信されたイメージデータを前記第２デバイス（８２）に転送する。その際、イメージデータ管理部（１０２）は、第１デバイス（８１）からイメージデータに関する情報（例えば、識別情報、または、選択情報）を受信し、受信された情報を利用してイメージデータを第２デバイス（８２）に転送することもできる。また、イメージデータ管理部（１０２）は、第１デバイス（８１）からイメージデータに関する情報（例えば、識別情報、または、選択情報）を受信し、受信された情報を第２デバイス（８２）に転送した後、第２デバイス（８２）からイメージデータが要請される場合、第２デバイス（８２）にイメージデータを転送することもできる。位置情報管理部（１０３）は、第１デバイス（８１）からイメージデータに連関した位置情報を受信し、受信された位置情報を第２デバイス（８２）に転送する。その際、イメージデータは、第１デバイスのチャット領域のうち位置情報に対応する領域に表示できる。また、イメージデータは、第２デバイスのチャット領域のうち位置情報に対応する領域に表示できる。
【００８７】
図９は、図１のチャットデータ管理サーバ（１０）の動作の一例を説明するための図面である。このような図９のチャットデータ管理サーバ（１０）の動作は、本発明の様々な実施例のうち一つの実施例を示したものに過ぎないので、図９及びこれに関する説明を通じて本発明の全ての実施例が限定されるものではない。
【００８８】
ステップＳ９０１において、第１デバイス（８１）のチャット領域と第２デバイス（８２）のチャット領域とが活性化される。このために、チャットデータ管理サーバ（１０）
は、第１デバイス（８１）及び第２デバイス（８２）とチャット領域の活性化のための信号を送受信することができる。例えば、チャットデータ管理サーバ（１０）は、第１デバイス（８１）または第２デバイス（８２）からチャットのための要請を受信し、受信したチャット要請に対応して第１デバイス（８１）及び第２デバイス（８２）にチャット領域活性化に対する応答を転送する。
【００８９】
第２デバイス（８２）がユーザーから入力されたテキストを第２デバイス（８２）のチャット領域に表示し（Ｓ９０２）、第２デバイス（８２）がチャットデータ管理サーバ（１０）に表示されたテキストを転送すると（Ｓ９０３）、チャットデータ管理サーバ（１０）は、第２デバイス（８２）から受信したテキストを第１デバイス（８１）に転送する（Ｓ９０４）。
【００９０】
第１デバイス（８１）は、チャットデータ管理サーバ（１０）から受信したテキストを第１デバイス（８１）のチャット領域に表示し（Ｓ９０５）、第１デバイス（８１）のユーザーインターフェイスを通じて選択されたイメージのイメージデータを検索し（Ｓ９０６）、第１デバイス（８１）のユーザーインターフェイスを通じて選択された領域の位置情報を検出し（Ｓ９０７）、検索されたイメージデータを位置情報に対応する領域に表示し（Ｓ９０８）、検索されたイメージデータと検出された位置情報とをチャットデータ管理サーバ（１０）に転送する（Ｓ９０９）。
【００９１】
チャットデータ管理サーバ（１０）は、第１デバイス（８１）からイメージデータ（または、イメージデータに関する情報）及びイメージデータに連関した位置情報を受信し（Ｓ９０９）、受信されたイメージデータ（または、イメージデータに関する情報）及び受信された位置情報を第２デバイス（８２）に転送する（Ｓ９１０）。第２デバイス（８２）は、受信された位置情報に対応する領域に受信されたイメージデータを表示する（Ｓ９１０）。
【００９２】
第１デバイス（８１）は、第１デバイス（８１）のユーザーインターフェイスを通じて表示されたイメージデータに対する選択の入力を受ける場合（Ｓ９１２）、第１デバイス（８２）のチャット領域でイメージデータを非表示し（Ｓ９１３）、イメージデータの非表示の趣旨を知らせるお知らせ信号をチャットデータ管理サーバ（１０）に転送する（Ｓ９１４）。
【００９３】
チャットデータ管理サーバ（１０）は、第１デバイス（８１）からイメージデータの非表示の趣旨を知らせるお知らせ信号を受信し（Ｓ９１４）、受信されたお知らせ信号を第２デバイス（８２）に転送する（Ｓ９１５）。第２デバイス（８２）は、受信されたお知らせ信号に基づいて第２デバイス（８２）のチャット領域に表示されたイメージを非表示する。
【００９４】
図８及び９によりチャットデータ管理サーバ（１０）について説明されていない事項は、上記の図１ないし図７によりチャットデータ管理サーバ（１０）について説明された内容と同一であるか、説明された内容から容易に類推可能な内容であって、以下では説明を省略し、図１ないし図７により説明された内容を準用する。この際、図８の第１デバイス（８１）または第２デバイス（８２）のそれぞれは、図１ないし図７により説明されたデバイス（２１〜２４）、デバイス（２０）、デバイス（３０）、デバイス（５０）、デバイス（６０）、デバイス（７０）、または、デバイス（８０）のいずれかである。
【００９５】
図１０は、本発明の一実施例に係るイメージ表示方法の動作フローチャートである。図１０に示された実施例に係るイメージ表示方法は、図５に示された実施例に係るデバイス（２０）、または、図５に示された実施例に係るデバイス（５０）で時系列的に処理され
るステップを含む。従って、以下で省略された内容であっても、図２に示された実施例に係るデバイス（２０）、または、図５に示された実施例に係るデバイス（５０）に関して上述した内容は、図１０に示された実施例に係るイメージ表示方法にも適用される。説明の便宜のために、以下の各ステップは、図５のデバイス（５０）の各構成により行われることに説明するが、図２のデバイス（５０）の各構成によっても行われることができる。
【００９６】
ステップＳ１００１において、データ通信部（５０１）は、ネットワークを通じて外部デバイスのテキストを受信する。ステップＳ１００２において、テキスト表示部（５０２）は、受信されたテキストをチャット領域に表示する。ステップＳ１００３において、イメージ検索部（５０３）は、ユーザーインターフェイス（５０６）を通じて選択されたイメージのイメージデータを検索する。ステップＳ１００４において、位置検出部（５０４）は、チャット領域内でユーザーインターフェイス（５０６）を通じて選択された領域の位置情報を検出する。ステップＳ１００５において、イメージ表示部（５０７）は、検索されたイメージデータを検出された位置情報に対応する領域に表示する。ステップＳ１００６において、イメージ表示部（５０７）は、表示されたテキストがチャット領域内で位置移動する場合、表示されたイメージデータもチャット領域内で位置移動させる。
【００９７】
図１０には示されていないが、イメージ表示方法は、ユーザーインターフェイス（５０６）を通じてイメージデータが表示された領域に対する選択の入力を受ける場合、表示されたイメージデータを非表示させるステップ（未図示）、外部イメージデータが前記データ通信部に受信されたことを知らせるお知らせメッセージを前記デバイスのディスプレイに表示するステップ（未図示）、及び、イメージデータに対応する少なくとも一つ以上の決済プロセスを行うステップをさらに含むこともできる。
【００９８】
図１１は、本発明の他の実施例に係るイメージ表示方法の動作フローチャートである。図１１に示された実施例に係るイメージ表示方法は、図７に示された実施例に係るデバイス（７０）で時系列的に処理されるステップを含む。従って、以下で省略された内容であっても、図７に示された実施例に係るデバイス（７０）に関して上述した内容は、図１１に示された実施例に係るイメージ表示方法にも適用される。
【００９９】
ステップＳ１１０１において、データ通信部（７０１）は、ネットワークを通じて外部デバイス（８０）のテキスト、イメージデータ及び位置情報を受信する。ステップＳ１１０２において、テキスト表示部（７０２）は、受信されたテキストをチャット領域に表示する。ステップＳ１１０３において、イメージ表示部（７０３）は、受信されたイメージデータを受信された位置情報に対応する領域に表示する。ステップＳ１１０４において、イメージ表示部（７０４）は、表示されたテキストがチャット領域内で位置移動する場合、表示されたイメージデータもチャット領域内で位置移動させる。
【０１００】
図１１には示されていないが、イメージ表示方法は、データ通信部（７０１）が外部デバイス（８０）から送信されたイメージデータの非表示の趣旨を知らせる信号を受信する場合、表示されたイメージを非表示させるステップ（未図示）をさらに含むこともできる。
【０１０１】
図１２は、本発明の一実施例に係るチャットデータ管理方法の動作フローチャートである。図１２に示された実施例に係るチャットデータ管理方法は、図８に示された実施例に係るチャットデータ管理サーバ（１０）で時系列的に処理されるステップを含む。従って、以下で省略された内容であっても、図８に示された実施例に係るチャットデータ管理サーバ（１０）に関して上述した内容は、図１２に示された実施例に係るチャットデータ管理方法にも適用される。
【０１０２】
ステップＳ１２０１において、テキスト管理部（１０１）は、ネットワークを通じて連結された複数のデバイスのうち第１デバイス（８１）からテキストを受信し、受信されたテキストを第２デバイス（８２）に転送する。ステップＳ１２０２において、イメージデータ管理部（１０２）は、第１デバイス（８１）からイメージデータに対する情報（またはイメージデータ）を受信し、受信されたイメージデータに対する情報（または、イメージデータ）を第２デバイス（８２）に転送する。位置情報管理部（Ｓ１２０３）は、第１デバイス（８１）からイメージデータに連関した位置情報を受信し、受信された位置情報を第２デバイス（８２）に転送する。その際、イメージデータは、第２デバイス（８２）のチャット領域のうち位置情報に対応する領域に表示できる。また、イメージデータは、第１デバイス（８１）のチャット領域のうち位置情報に対応する領域に表示できる。
【０１０３】
図１０、１１または１２のそれぞれにより説明されたイメージ表示方法、または、チャットデータ管理方法のそれぞれは、コンピュータによって実行されるプログラムモジュールのようなコンピュータによって実行可能な命令語を含む記録媒体の形態でも具現できる。コンピュータ読み取り可能な媒体は、コンピュータによってアクセスできる任意の可溶媒体であってもよく、揮発性及び非揮発性の媒体、分離型及び非分離型の媒体の全てを含む。また、コンピュータ読み取り可能な媒体は、コンピュータ格納媒体及び通信媒体を全て含むことができる。コンピュータ格納媒体は、コンピュータ読み取り可能な命令語、データ構造、プログラムモジュール、または、その他データのような情報の格納のための任意の方法または技術で具現された揮発性及び非揮発性、分離型及び非分離型の媒体の全てを含む。通信媒体は、典型的にコンピュータ読み取り可能な命令語、データ構造、プログラムモジュール、または、搬送波のような変調されたデータ信号のその他データ、または、その他送信メカニズムを含み、任意の情報伝達媒体を含む。
【０１０４】
前述した本願の説明は例示のためのものであり、本願が属する技術分野の通常の知識を持った者は、本願の技術的思想や必須の特徴を変更せずに他の具体的な形態に容易に変形が可能であるということが理解できるであろう。従って、以上で記述した実施例は全ての面で例示的なものであり、限定的ではないと理解するべきである。例えば、単一型で説明されている各構成要素は、分散して実施されることもでき、同様に分散したもので説明されている構成要素も、結合した形態で実施されることができる。
【０１０５】
本願の範囲は、前記詳細な説明よりは後述する特許請求の範囲によって示され、特許請求の範囲の意味及び範囲、そしてその均等概念から導出される全ての変更または変形された形態が本願の範囲に含まれることと解釈されなければならない。
【図１】
2016502174.tif 000003
【図２】
2016502174.tif 000004
【図３】
2016502174.tif 000005
【図４】
2016502174.tif 000006
【図５】
2016502174.tif 000007
【図６】
2016502174.tif 000008
【図７】
2016502174.tif 000009
【図８】
2016502174.tif 000010
【図９】
2016502174.tif 000011
【図１０】
2016502174.tif 000012
【図１１】
2016502174.tif 000013
【図１２】
2016502174.tif 000014
【手続補正書】
【提出日】平成27年8月14日(2015.8.14)
【手続補正１】
【補正対象書類名】明細書
【補正対象項目名】００３９
【補正方法】変更
【補正の内容】
【００３９】
図３の図面符号４２を参照すると、イメージ検索部（２０３）は、複数のイメージのうち、ユーザーインターフェイスを通じて選択されたイメージ（４２３）のイメージデータを検索する。図３に示されたように、複数のイメージ（４２３〜４２５）は、ユーザーインターフェイス（２０６）から入力された呼び出し命令に対応して活性化された領域（４２１）に表示される。領域（４２１）が活性化されることにより、チャット領域は領域（４１１）から領域（４２２）に変更される。複数のイメージ（４２３〜４２５）のうちイメージ（４２３）は、最も最近使用されたイメージであって、他のイメージ（４２４、４２５）に比べて最上位行の最左側列に表示され得る。
【手続補正２】
【補正対象書類名】明細書
【補正対象項目名】００４６
【補正方法】変更
【補正の内容】
【００４６】
ユーザーインターフェイスを通じて選択しようとする領域がチャット領域に既表示されたテキストから所定距離以内である場合、既表示されたテキストには、テキスト表示部（２０２）により、強調効果が現われることができる。例えば、テキスト表示部（２０２）は、選択しようとする領域がチャット領域に既表示されたテキストから所定距離以内である場合、既表示されたテキストまたは既表示されたテキストの吹き出しを周期的に点滅するか、既表示されたテキストの文字色を変更するか、または、既表示されたテキストの吹き出しの色を変更することができる。他の例としては、テキスト表示部（２０２）は、選択しようとする領域がチャット領域に既表示されたテキストに全部または一部オーバーラップされる場合、既表示されたテキストまたは既表示されたテキストの吹き出しを周期的に点滅するか、既表示されたテキストの文字色を変更するか、または、既表示されたテキストの吹き出しの色を変更することができる。
【手続補正３】
【補正対象書類名】明細書
【補正対象項目名】００４７
【補正方法】変更
【補正の内容】
【００４７】
図３に示されたように、位置検出部（２０４）は、ユーザーインターフェイス（２０６）を通じて選択された領域（４４１）の位置情報を検出する。このために、ユーザーは、ユーザーインターフェイス（２０６）であるタッチスクリーンインターフェイスを通じて、自分の指（４４２）をチャット領域内の所定の点領域に位置させることで、領域を選択することができる。位置情報は、ユーザーが直接特定した点領域の位置情報であってもよく、区切りライン（４３３）で区切られる少なくとも二つ以上のセルのうちいずれかのセル領域の位置情報であってもよい。
【手続補正４】
【補正対象書類名】明細書
【補正対象項目名】００７２
【補正方法】変更
【補正の内容】
【００７２】
イメージ削除部（５０７）は、ユーザーインターフェイス（５０６）からイメージ非表示命令の入力を受ける場合、チャット領域に既表示された少なくとも一つ以上のイメージデータを非表示させることができる。この際、イメージ非表示命令は、チャット領域に既表示された少なくとも一つ以上のイメージデータを全部非表示させることを指示するユーザー命令を意味する。このようなイメージ非表示命令の一例は、ユーザーが既表示された少なくとも一つ以上のイメージデータのうちいずれかを選択するか、ユーザーがディスプレイ上に表示された非表示アイコンを選択するか、デバイス（５０）のハードウェアの非表示ボタンを選択することである。本発明の他の実施例によれば、イメージ削除部（５０７）の動作は、イメージ表示部（５０５）によって行われる。
【手続補正５】
【補正対象書類名】明細書
【補正対象項目名】００７８
【補正方法】変更
【補正の内容】
【００７８】
デバイス（７０）は、デバイス（６０）の動作を行うと同時に、デバイス（２０）またはデバイス（５０）の動作を行うこともできる。従って、デバイス（７０）の構成のうちデータ通信部（７０１）、テキスト表示部（７０２）、イメージ表示部（７０３）、ユーザーインターフェイス（７０４）、及び、イメージ削除部（７０５）のそれぞれは、デバイス（２０）のデータ通信部（２０１）、テキスト表示部（２０２）、イメージ表示部（２０５）、ユーザーインターフェイス（２０６）のそれぞれの動作、または、デバイス（５０）のデータ通信部（５０１）、テキスト表示部（５０２）、イメージ表示部（５０５）、ユーザーインターフェイス（５０６）、及び、イメージ削除部（５０７）のそれぞれの動作を行うこともできる。また、デバイス（７０）は、イメージ検索部（２０３）またはイメージ検索部（５０３）の動作を行う構成、位置検出部（２０４）または位置検出部（５０４）の動作を行う構成、及び、デバイス（５０）の決済処理部（５０８）の動作を行う構成のそれぞれをさらに含むこともできる。
【手続補正６】
【補正対象書類名】明細書
【補正対象項目名】００７９
【補正方法】変更
【補正の内容】
【００７９】
データ通信部（７０１）は、ネットワークを通じて外部デバイス（８０）のチャットデータを受信する。その際、チャットデータは、テキスト、イメージデータ及びイメージデータに連関した位置情報のうち少なくとも一つ以上を含む。また、データ通信部（７０１）は、ネットワークを通じて外部デバイス（８０）にチャットデータを転送することができる。
【手続補正７】
【補正対象書類名】明細書
【補正対象項目名】００８０
【補正方法】変更
【補正の内容】
【００８０】
データ通信部（７０１）は、チャットデータ管理サーバ（１０）を経由して外部デバイス（８０）からチャットデータを受信することもでき、チャットデータ管理サーバ（１０）を経由せずに、外部デバイス（８０）から直接チャットデータを受信することができる。また、データ通信部（７０１）は、チャットデータ管理サーバ（１０）とチャットデータに関する情報（例えば、識別情報、選択情報、または、識別コードのいずれか）を送受信することもできる。
【手続補正８】
【補正対象書類名】明細書
【補正対象項目名】００９１
【補正方法】変更
【補正の内容】
【００９１】
チャットデータ管理サーバ（１０）は、第１デバイス（８１）からイメージデータ（または、イメージデータに関する情報）及びイメージデータに連関した位置情報を受信し（Ｓ９０９）、受信されたイメージデータ（または、イメージデータに関する情報）及び受信された位置情報を第２デバイス（８２）に転送する（Ｓ９１０）。第２デバイス（８２）は、受信された位置情報に対応する領域に受信されたイメージデータを表示する（Ｓ９１１）。
【手続補正９】
【補正対象書類名】明細書
【補正対象項目名】００９４
【補正方法】変更
【補正の内容】
【００９４】
図８及び９によりチャットデータ管理サーバ（１０）について説明されていない事項は、上記の図１ないし図７によりチャットデータ管理サーバ（１０）について説明された内容と同一であるか、説明された内容から容易に類推可能な内容であって、以下では説明を省略し、図１ないし図７により説明された内容を準用する。この際、図８の第１デバイス（８１）または第２デバイス（８２）のそれぞれは、図１ないし図７により説明されたデバイス（２１〜２３）、デバイス（２０）、デバイス（３０）、デバイス（５０）、デバイス（６０）、デバイス（７０）、または、デバイス（８０）のいずれかである。
【手続補正１０】
【補正対象書類名】明細書
【補正対象項目名】００９５
【補正方法】変更
【補正の内容】
【００９５】
図１０は、本発明の一実施例に係るイメージ表示方法の動作フローチャートである。図１０に示された実施例に係るイメージ表示方法は、図５に示された実施例に係るデバイス（５０）、または、図５に示された実施例に係るデバイス（５０）で時系列的に処理されるステップを含む。従って、以下で省略された内容であっても、図２に示された実施例に係るデバイス（２０）、または、図５に示された実施例に係るデバイス（５０）に関して上述した内容は、図１０に示された実施例に係るイメージ表示方法にも適用される。説明の便宜のために、以下の各ステップは、図５のデバイス（５０）の各構成により行われることに説明するが、図２のデバイス（２０）の各構成によっても行われることができる。
【手続補正１１】
【補正対象書類名】明細書
【補正対象項目名】００９６
【補正方法】変更
【補正の内容】
【００９６】
ステップＳ１００１において、データ通信部（５０１）は、ネットワークを通じて外部デバイスのテキストを受信する。ステップＳ１００２において、テキスト表示部（５０２）は、受信されたテキストをチャット領域に表示する。ステップＳ１００３において、イメージ検索部（５０３）は、ユーザーインターフェイス（５０６）を通じて選択されたイメージのイメージデータを検索する。ステップＳ１００４において、位置検出部（５０４）は、チャット領域内でユーザーインターフェイス（５０６）を通じて選択された領域の位置情報を検出する。ステップＳ１００５において、イメージ表示部（５０７）は、検索されたイメージデータを検出された位置情報に対応する領域に表示する。ステップＳ１００６において、イメージ表示部（５０５）は、表示されたテキストがチャット領域内で位置移動する場合、表示されたイメージデータもチャット領域内で位置移動させる。
【手続補正１２】
【補正対象書類名】明細書
【補正対象項目名】００９９
【補正方法】変更
【補正の内容】
【００９９】
ステップＳ１１０１において、データ通信部（７０１）は、ネットワークを通じて外部デバイス（８０）のテキスト、イメージデータ及び位置情報を受信する。ステップＳ１１０２において、テキスト表示部（７０２）は、受信されたテキストをチャット領域に表示する。ステップＳ１１０３において、イメージ表示部（７０３）は、受信されたイメージデータを受信された位置情報に対応する領域に表示する。ステップＳ１１０４において、イメージ表示部（７０３）は、表示されたテキストがチャット領域内で位置移動する場合、表示されたイメージデータもチャット領域内で位置移動させる。
【手続補正１３】
【補正対象書類名】明細書
【補正対象項目名】０１０２
【補正方法】変更
【補正の内容】
【０１０２】
ステップＳ１２０１において、テキスト管理部（１０１）は、ネットワークを通じて連結された複数のデバイスのうち第１デバイス（８１）からテキストを受信し、受信されたテキストを第２デバイス（８２）に転送する。ステップＳ１２０２において、イメージデータ管理部（１０２）は、第１デバイス（８１）からイメージデータに対する情報（またはイメージデータ）を受信し、受信されたイメージデータに対する情報（または、イメージデータ）を第２デバイス（８２）に転送する。位置情報管理部（１０３）は、第１デバイス（８１）からイメージデータに連関した位置情報を受信し、受信された位置情報を第２デバイス（８２）に転送する。その際、イメージデータは、第２デバイス（８２）のチャット領域のうち位置情報に対応する領域に表示できる。また、イメージデータは、第１デバイス（８１）のチャット領域のうち位置情報に対応する領域に表示できる。
【手続補正１４】
【補正対象書類名】特許請求の範囲
【補正対象項目名】全文
【補正方法】変更
【補正の内容】
【特許請求の範囲】
【請求項１】
テキストが表示されるチャット領域にイメージを表示するデバイスにおいて、
ネットワークを通じて外部デバイスのテキストを受信するデータ通信部；
前記受信されたテキストを前記チャット領域に表示するテキスト表示部；
ユーザーインターフェイスを通じて選択されたイメージのイメージデータを検索するイメージ検索部；
前記チャット領域内で前記ユーザーインターフェイスを通じて選択された領域の位置情報を検出する位置検出部；及び
前記検索されたイメージデータを前記検出された位置情報に対応する領域に表示するイメージ表示部を含み、
前記表示されたテキストが前記チャット領域内で位置移動する場合、前記表示されたイメージデータも前記チャット領域内で位置移動されるデバイス。
【請求項２】
前記イメージデータが表示された領域は、前記テキストが表示された領域の全部または一部にオーバーラップされる請求項１に記載のデバイス。
【請求項３】
前記ユーザーインターフェイスを通じて前記イメージデータが表示された領域に対する選択の入力を受ける場合、前記表示されたイメージデータを非表示させるイメージ削除部をさらに含む請求項１に記載のデバイス。
【請求項４】
前記イメージ削除部が前記表示されたイメージデータを非表示させる場合、前記データ通信部が前記イメージデータの非表示の趣旨を知らせる信号を前記外部デバイスに送信する 請求項１に記載のデバイス。
【請求項５】
前記テキスト表示部は、前記ユーザーインターフェイスを通じて選択された領域が前記表示されたテキストから所定距離以内の領域である場合、前記表示されたテキストに強調効果を現す請求項１に記載のデバイス。
【請求項６】
前記位置検出部は、前記ユーザーインターフェイスを通じて前記表示されたイメージデータに対する移動命令の入力を受ける場合、前記入力された移動命令に基づいて前記表示されたイメージデータが移動される目的地領域の位置情報を検出し、
前記イメージ表示部は、前記検出された目的地領域の位置情報に対応する領域に前記表示されたイメージデータを移動させて表示させる請求項１に記載のデバイス。
【請求項７】
前記ユーザーインターフェイスからイメージ非表示命令の入力を受ける場合、前記チャット領域に既表示された少なくとも一つ以上のイメージデータを非表示させるイメージ削除部をさらに含む請求項１に記載のデバイス。
【請求項８】
前記チャット領域は、区切りラインにより少なくとも二つ以上のセル領域に区切られ、前記選択された領域は、前記区切りラインにより区切られた少なくとも二つ以上のセル領域のうち、前記ユーザーインターフェイスを通じて選択されたいずれかのセル領域である請求項１に記載のデバイス。
【請求項９】
前記ユーザーインターフェイスは、イメージが使用された時間に応じて順次整列された複数のイメージリストをユーザーに提供する請求項１に記載のデバイス。
【請求項１０】
前記ユーザーインターフェイスは、前記イメージデータを修正するための道具を提供する請求項１に記載のデバイス。
【請求項１１】
前記イメージ表示部は、前記データ通信部が前記外部デバイスの外部イメージデータ及び外部位置情報を受信する場合、前記チャット領域のうち前記外部位置情報に対応する領域に前記外部イメージデータを表示する請求項１に記載のデバイス。
【請求項１２】
前記イメージ表示部は、前記データ通信部が前記外部イメージデータを受信する場合、前記外部イメージデータを受信したことを知らせるお知らせメッセージを前記デバイスのディスプレイに表示する請求項１１に記載のデバイス。
【請求項１３】
前記イメージデータに関する少なくとも一つ以上の決済プロセスを行う決済処理部をさらに含む請求項１に記載のデバイス。
【請求項１４】
テキストが表示されるチャット領域にイメージを表示する方法において、
ネットワークを通じて外部デバイスのテキストを受信するステップ；
前記受信されたテキストを前記チャット領域に表示するステップ；
ユーザーインターフェイスを通じて選択されたイメージのイメージデータを検索するステップ；
前記チャット領域内で前記ユーザーインターフェイスを通じて選択された領域の位置情報を検出するステップ；
前記検索されたイメージデータを前記検出された位置情報に対応する領域に表示するステップ；及び
前記表示されたテキストが前記チャット領域内で位置移動する場合、前記表示されたイメージデータも前記チャット領域内で位置移動させるステップを含むイメージ表示方法。
【請求項１５】
前記ユーザーインターフェイスを通じて前記イメージデータが表示された領域に対する選択の入力を受ける場合、前記表示されたイメージデータを非表示させるステップ；
外部イメージデータが受信されたことを知らせるお知らせメッセージを前記デバイスのディスプレイに表示するステップ；及び
前記イメージデータに関する少なくとも一つ以上の決済プロセスを行うステップをさらに含む請求項１４に記載のイメージ表示方法。
【請求項１６】
チャットデータを管理するサーバにおいて、
ネットワークを通じて連結された複数のデバイスのうち第１デバイスからテキストを受信し、受信されたテキストを第２デバイスに転送するテキスト管理部；
前記第１デバイスからイメージデータに関する情報を受信し、受信されたイメージデータに関する情報を前記第２デバイスに転送するイメージデータ管理部；及び
前記第１デバイスから前記イメージデータに連関した位置情報を受信し、受信された位置情報を前記第２デバイスに転送する位置情報管理部を含み、
前記イメージデータは、前記第２デバイスのチャット領域のうち前記位置情報に対応する領域に表示されるチャットデータ管理サーバ。
【請求項１７】
チャットメッセージを送受信するデバイスにおいて、
ネットワークを通じて外部デバイスのテキストを受信するデータ通信部；
前記受信されたテキストをチャット領域に表示するテキスト表示部；
前記チャット領域内でユーザーインターフェイスを通じて選択された吹き出しの位置情報を検出する位置検出部；及び
前記検出された位置情報に対応する吹き出しをブラインド処理するイメージ表示部を含み、
前記表示されたテキストが前記チャット領域内で位置移動する場合、前記吹き出しもブラインド処理が維持され、前記チャット領域内で位置移動されるデバイス。
【請求項１８】
前記イメージ表示部が前記吹き出しをブラインド処理する場合、前記データ通信部が前記吹き出しの位置情報をチャットデータ管理サーバまたは前記外部デバイスに転送する 請求項１７に記載のデバイス。
【請求項１９】
前記イメージ表示部は、前記データ通信部が前記外部デバイスの外部吹き出しの位置情報を受信する場合、前記外部吹き出しの位置情報に対応する吹き出しをブラインド処理する請求項１８に記載のデバイス。
【国際調査報告】
2016502174.tif 000015
2016502174.tif 000016
2016502174.tif 000017
2016502174.tif 000018